(57)【要約】【課題】画像や文書などそのままの表現で人間が理解できる直接データと、音声などの各種のデータを変換した間接データを混在させて、ＣＤとかの電子的媒体ではなく、紙などの通常の媒体に記録し、間接データを読み取り復元し、直接データと間接データとを融合するシステムを提供すること。【解決手段】表とか音声とかの各種のデータを、カラーコードあるいは１と０のビットコードで対応させて表し、該コード列からカラーあるいは白黒のドット画像を生成し、ドットの大きさやドットとドットの間隔を制御して、該ドット画像を紙などの各種の媒体に印刷描画などの方法により間接データとして記録保存し、該紙などの媒体に記録保存されたドット画像をスキャナーやカメラなどの通常の読み取り装置で読み取って処理装置に入力して、該処理装置で該読み込んだドット画像を復号して、元の表とか音声を復元し、画像とか文書とかの直接データとの融合を実現する。【選択図】  図１
2005128979.tif 000002
【特許請求の範囲】
【請求項１】
コンピュータ内部での各種のデータ形式を画像形式に変換して、コンピュータ内部では、該変換された画像形式を用いて基の各種のデータの管理を行う手段を備えたことを特徴とする、データ保存管理システム。
【請求項２】
各種のデータを変換する画像形式として、ＣＭＹＫカラードットコード画像を用いる手段を備えたことを特徴とする、請求項１記載のデータ保存管理システム。
【請求項３】
各種のデータを変換する画像形式として、ＲＧＢカラードットコード画像を用いる手段を備えたことを特徴とする、請求項１記載のデータ保存管理システム。
【請求項４】
画像データにテキストや音声或いは音楽などの音を付加し、該付加された画像データを画像データ形式とする手段を備えたことを特徴とする、請求項１記載のデータ保存管理システム。
【請求項５】
テキストや音声或いは音楽などの音を付加した画像データ形式に対して、テキストデータに基づく検索抽出する手段を備えたことを特徴とする、請求項１記載のデータ保存管理システム。
【請求項６】
画像データに対して、印刷記録し、該印刷記録された画像データをコンピュータ内部に取り込んで基のデータを復元する手段を備えたことを特徴とする、請求項１記載のデータ保存管理システム。
【請求項７】
請求項１、請求項２、請求項３、請求項４、請求項５、請求項６、に記載のデータ保存管理システムを、コンピュータにおいて実現するためのプログラム。
【発明の詳細な説明】
【発明の詳細な説明】
【技術分野】
【０００１】  本発明は、コンピュータ内部での各種のデータ形式を画像に変換して、コンピュータ内部では、変換された画像形式を用いて基の各種のデータの管理を行う方法に係り、コンピュータ内部での各種のファイル、圧縮されたファイル、暗号化されたファイルなどを画像に変換し、該画像を用いてコンピュータ内部でのデータ管理を行うとともに、該画像を基にカラードットコード画像を生成し、該カラードットコード画像を紙などの媒体に記録保存して、該記録保存された画像をスキャナーとかカメラなどにより、コンピュータ内部に取り込んで基のデータを復元する方法であって、各種のデータを画像として一元管理することを可能とする、データ保存管理システムに関する。
【背景技術】
【０００２】  今日、通信ネットワークが普及し、コンピュータとネットワークが接続されて利用されるのが一般的になって来ている。このような状況において、コンピュータ内部の各種のデータが他人に盗まれないような、セキュリティの確保が重要な課題となってきている。これに対して、各種の重要なデータを暗号化して保存するという方法が取られてきている。しかし、暗号化されたデータは意味の無い記号が羅列しているに過ぎず、人間にとって不快な印象を与え、コンピュータを日常的に利用する上で好ましいことではない。
【発明が解決しようとする課題】
【０００３】  そこで本発明は上記事情に鑑みて、暗号化されたデータなど人に不快感を与えるデータとか、圧縮されたデータなどそのままでは可視化出来ないデータを画像に変換して、該画像を用いて基の各種のデータ処理を行うことが可能なシステムを提供することを目的とする。
【課題を解決するための手段】
【０００４】  上記目的を達成するために、本発明のデータ保存管理システムは、各種のデータを画像に変換する手段と、該変換された画像にテキストや音声或いは音楽などの音を付加した画像形式とする手段と、該変換された画像からカラードットコード画像を生成して、紙などの通常の媒体に該カラードットコード画像を印刷記録する手段と、該紙などの媒体に記録保存されたカラードットコード画像をスキャナーやカメラなどで読み取って処理装置に入力し、該処理装置で該各種のデータに復元する手段とを備えるように構成したものである。
【０００５】  上記構成により、コンピュータ内部での各種のデータ形式を画像に変換して、コンピュータ内部では、該変換された画像形式を用いて基の各種のデータの管理を行うことにより、暗号化されたデータなど人に不快感を与えるデータとか、圧縮されたデータなど、そのままでは可視化出来ないデータを可視化データとして、コンピュータを利用する上で、人が各種のデータを利用しやすく管理しやすい環境が、容易に実現が可能となる。
【発明を実施するための最良の形態】
【０００６】  以下、図面を参照して、本発明の実施の形態を説明する。なお、本実施の形態におけるデータ保存管理システムの説明は、コンピュータにより実行するプログラムを含むものである。【０００７】  図１は、本発明の実施形態に係る、コンピュータ内部での各種のデータ形式を、画像に変換して、コンピュータ内部では、該変換された画像形式を用いて基の各種のデータの管理を行うことにより、暗号化されたデータなどの人に不快感を与えるデータとか、圧縮されたデータなどのそのままでは可視化出来ないデータを、人が各種のデータを利用しやすく管理しやすい環境を実現する、データ保存管理システムのブロック図である。以下図１を用いて説明してゆく。【０００８】  まず、ファイルデータＤ１を暗号化変換処理とか圧縮変換処理とかの各種の変換処理Ｐ１により変換されたデータＤ２、或いは変換せずに元のままのファイルデータＤ１を、画像形式変換処理Ｐ２により画像データＤ３に変換する。次に、該画像データＤ３に説明用のテキストまたは音声などの音、或いはその両方を付加する処理Ｐ３により、新規画像データ形式としてのｍｍｏ画像データＤ４を生成する。そして、コンピュータ内部あるいはネットワーク通信においては、該ｍｍｏ画像データＤ４を用いて基のファイルデータを表示／保存／検索／処理などのデータ管理Ｐ４により行う。次に、該ｍｍｏ画像データＤ４の画像データ部分に必要に応じて、誤り訂正処理Ｐ５を実施し、カラードットコード画像への変換処理Ｐ６により、カラードットコード画像Ｄ５を生成する。該カラードットコード画像Ｄ５を印刷制御Ｐ７により、各ドットの大きさおよびドットとドットの間隔を制御して、紙などの通常の媒体に印刷画像Ｄ６として記録保存を行う。該印刷画像Ｄ６は、スキャナーやカメラなどによる読み込み処理Ｐ８により、コンピュータ内部に取り込まれ、コンピュータ内部での復元処理Ｐ９により、基のファイルデータＤ１が復元される。【０００９】  図２は、各種のデータ形式を画像データ形式に変換する方式の例を示した図である。図２で、文書データＤ７は、パソコンなどのコンピュータ機器の内部データ形式としては、例えば、バイナリー形式Ｄ８として表現されている。これに対して、カラーコードとして、Ｃ（シアン）、Ｍ（マゼンタ）、Ｙ（イエロー）、Ｋ（ブラック）の４種類のカラーコード用いる場合には、２ビットを表現することができる。そこで例えば、００としてＫ（ブラック）を対応させ、０１としてＣ（シアン）を対応させ、１０としてＭ（マゼンタ）を対応させ、１１としてＹ（イエロー）を対応させることとするビット情報とカラーコードとの対応表Ｄ９を作成する。次に該対応表Ｄ９を用いて、該文書データＤ７の該バイナリーデータ形式Ｄ８の対応付けを行い、カラードットコード列Ｄ１０を生成する。次に、該カラーコードのＣ（シアン）、Ｍ（マゼンタ）、Ｙ（イエロー）、Ｋ（ブラック）を対応する色を用いることによって、ＣＭＹＫカラー画像Ｄ１１が作成される。また、カラーコードとして、ＲＧＢコード列を用いる場合には、例えば、該バイナリーデータ形式Ｄ８の各バイトを画像の各画素のＲ（赤）、Ｇ（緑）、Ｂ（青）の０〜２５５の値で対応した表現Ｄ１２とすること���より、ＲＧＢカラー画像Ｄ１３が作成される。
【発明の効果】
【００１０】  以上説明したように、本発明のデータ保存管理システムによれば、各種のデータを画像に変換する手段と、該変換された画像にテキストや音声とか音楽などの音を付加した画像形式データとする手段と、該画像形式データからカラードットコード画像を生成して、紙などの通常の媒体にカラードットコード画像を印刷記録する手段を備えるように構成したものであり、上記構成により、コンピュータ内部での各種のデータ形式を画像に変換して、コンピュータ内部では該変換された画像形式を用いて該基の各種のデータの管理を行うことにより、暗号化されたデータなどの人に不快感を与えるデータとか、圧縮されたデータなどのそのままでは可視化出来ないデータを可視化データとして、人が各種のデータを利用しやすく管理しやすい環境を実現するデータ保存管理システムが実現されるという効果が得られる。
【図面の簡単な説明】
【図１】  本発明の実施形態に係る、データ保存管理システムの方式のブロック図である。
【図２】  本発明の実施形態に係る、各種のデータ形式を画像データ形式に変換する方式の例を示した図である。
【符号の説明】
Ｄ１    ファイルデータ
Ｄ２    変換データ
Ｄ３    画像データ
Ｄ４    ｍｍｏ画像データ
Ｄ５    カラードットコード画像
Ｄ６    印刷画像
Ｄ７    文書データ
Ｄ８    文書のバイナリーデータ形式
Ｄ９    ＣＭＹＫカラーコードの対応表
Ｄ１０  文書データのＣＭＹＫカラーコード列
Ｄ１１  文書データのＣＭＹＫカラー画像
Ｄ１２  文書データのＲＧＢコード列
Ｄｌ３  文書データのＲＧＢカラー画像
Ｐ１    各種変換（暗号化変換／圧縮変換など）
Ｐ２    画像形式変換
Ｐ３    テキスト付加／音声付加
Ｐ４    データ管理（表示／保存／検索／処理）
Ｐ５    画像に誤り訂正付加
Ｐ６    カラードットコード画像に変換
Ｐ７    印刷制御
Ｐ８    スキャナー／カメラで読み込み
Ｐ９    復元処理
【図１】
2005128979.tif 000003
【図２】
2005128979.tif 000004